(57)【特許請求の範囲】
【請求項１】
ルアーの前側、下側、後側、上側の外周に沿って周回するように形成され、左右より上下方向を幅広にした板状の金属製フレームを合成樹脂ボディに埋設し、前記フレームの中空部側から前記フレームに重りが止着されたことを特徴とするルアー。
【請求項２】
フレームで囲まれた領域に合成樹脂が充填されていることを特徴とする請求項１記載のルアー。
【発明の詳細な説明】
【０００１】
【発明の属する技術分野】
本発明は、金属製フレ−ムを合成樹脂製ボディに埋設したルア−の改良に関する。
【０００２】
【従来の技術】
従来例えば特開平１１−１４６７４６号公報に額縁状の金属製枠体とその両側から挾持するように止着して、密閉中空室を形成するプラスチック製殻体を有する飛距離が向上するルア−が紹介されている。
このルア−は周縁に露出した状態の金属製枠体で囲まれているが、ルア−をポイントに向けてキャストしたときに直接障害物に衝突する可能性が大きく、金属で形成してもこの枠体に変形が生じるとルア−の動きが悪化してしまう。
また、中央側のプラスチック製殻体から成る部分についても周縁の金属製枠体の変形によって破損する虞があると共に、プラスチック製殻体は中空室を形成しているためそれ自身が破損し易い。
従って、この様な構造では金属製枠体とプラスチック製殻体を組み合せたルア−の構造としては適当とは言えない。
【０００３】
【発明が解決しようとする課題】
解決しようとする問題点は、前記額縁状の金属製枠体とその両側から挾持するように止着して、密閉中空室を形成するプラスチック製殻体を有するルア−は、周縁に露出した状態の金属製枠体で囲まれているが、ルア−をポイントに向けてキャストしたときに直接障害物に衝突する可能性が大きく、金属で形成してもこの枠体に変形が生じるとルア−の動きが悪化してしまう。
また、中央側のプラスチック製殻体から成る部分についても周縁の金属製枠体の変形によって破損する虞があると共に、プラスチック製殻体は中空室を形成しているためそれ自身が破損し易い。
従って、この様な構造では金属製枠体とプラスチック製殻体を組み合せたルア−の構造としては適当とは言えないことである。
【０００４】
本発明の目的は前記欠点に鑑み、障害物に衝突しても強度が高く、破損が防止されるルア−を提供することである。
【０００５】
【課題を解決するための手段】
上記課題を解決するために、請求項１に係わる本発明は、ルアーの前側、下側、後側、上側の外周に沿って周回するように形成され、左右より上下方向を幅広にした板状の金属製フレームを合成樹脂ボディに埋設し、前記フレームの中空部側から前記フレームに重りが止着されたことを要旨とするものである。請求項２に係わる本発明は、フレームで囲まれた領域に合成樹脂が充填されていることを要旨とするものである。
【０００６】
請求項１の本発明により、ルア−の前側、下側、後側、上側の外周に沿って周回するように形成され、左右より上下方向を幅広にした板状の金属製フレーム２でルアー外周の強度が高くなると共に、この金属製フレーム２は合成樹脂製ボディ４に埋設しているため、キャスティングによってルア−１が障害物に衝突したときでも金属製フレ−ム２の変形およびこれに伴う合成樹脂製ボディ４の破損が防止でき、フレームの中空部側から金属製フレ−ム２に重り３が止着されて合成樹脂製ボディ４に埋設されているため、重り３が確実に保持される。  請求項２の本発明により、金属製フレ−ム２に囲まれた領域の中空部２ｈにも合成樹脂が充填されているため、ルア−１の外周だけでなく合成樹脂製ボディ４の強度が高くなり破損が防止される。
【０００７】
【実施例】
以下、図示の一実施例によって本発明を説明すると、図１はルア−の外観斜視図、図２はルア−の側面図、図３はルア−のフレ−ムを破線で示した側面図、図４はフレ−ムの側面図、図５は図３のＦ５−Ｆ５断面線の断面正面図、図６は図３のＦ６−Ｆ６断面線の断面正面図、図７は図３のＦ７−Ｆ７断面線の断面正面図である。
【０００８】
ルア−１は、ステンレス、チタン合金、真鍮等の金属のフレ−ム２の頭部側に鉛や真鍮ヤタングステン等の重り３が固定されてそれらの外側にＡＢＳ樹脂、ポリエチレン、エポキシ樹脂、ポリカ−ボネ−トなどの合成樹脂でボディ４が形成されて金属製フレ−ム２と重り３が埋設されている。
又、金属製フレ−ム２と重り３は一体に形成しても良い。
金属製フレ−ム２は外周からの衝撃に強くなるよう図５〜図７の様に左右より上下方向を幅広にした板状でかつルア−１の前側、下側、後側、上側に沿ってた周回するように形成され、背部２ａに２つの透孔が穿設されて釣糸止着部２ｂ、２ｃとし、釣糸止着部２ｂ、２ｃを選択して一方に釣り糸５が連結される。
【０００９】
金属製フレ−ム２の下側前部に突出部２ｄが突出形成されて透孔が穿設されて釣針止着部２ｅとし、釣針止着部２ｅにリング６が着脱可能に連結されてリング６に掛け針７が連結されている。
金属製フレ−ム２の下側後部に突起部２ｆが突出形成されて透孔が穿設されて釣針止着部２ｇとし、釣針止着部２ｇにリング８が着脱可能に連結されてリング８に掛け針９が連結されている。
【００１０】
重り３の下側には切込みが形成されて金属製フレ−ム２の中空部２ｈ側からに嵌合固定されたり、溶着されている。
なお、重り３の金属製フレ−ム２への止着については、金属製フレ−ム２を図示しない金型内で保持して重り材料の溶融金属を金型内に注入して金属製フレ−ム２の必要箇所に金属製フレ−ム２を鋳ぐるんで止着してもよい。
【００１１】
ボディ４は金属製フレ−ム２と重り３を包み込むように形成され、金属製フレ−ム２の上側、前側、上側を覆うと共に、釣糸止着部２ｂ、２ｃの周囲の背部２ａの一部及び釣針止着部２ｅ、２ｇの周囲の突出部２ｄ、２ｆはボディ４から露出されている。
ボディ４の前部は魚の頭部に模した形状に形成され、ボディ４の後部の左右に翼部４ａが突出形成されている。
翼部４ａの下側に前記金属製フレ−ム２の突起部２ｆが下側後部に突出形成されて掛け針９が取り付けられている。
重り３は金属製フレ−ム２の左右に突出しており、重り３位置のボディ４は膨出部４ｂとなって魚の頭部や腹部を形成している。
【００１２】
金属製フレ−ム２と重り３がボディ４で埋設される時は、金属製フレ−ム２に重り３を止着した後、ボディ４から露出される釣糸止着部２ｂ、２ｃの背部２ａと、釣針止着部２ｅ、２ｇの突出部２ｄ、２ｆが図示しない金型で挾持されて金属製フレ−ム２を金型内にセットした後、金型内にボディ成形用の合成樹脂材料を射出し、金属製フレ−ム２がルア−外周に沿うように埋設する。
この時金属製フレ−ム２に囲まれた領域の中空部２ｈにも合成樹脂が充填されている。
ボディ４は透光性の合成樹脂材料で形成されてもよい。
【００１３】
ルア−１は前記のように製作されると、ルア−外周に沿った金属製フレ−ム２を有しているため、ルア−外周の強度が高くなると共に、この金属製フレ−ム２は合成樹脂製ボディ４に埋設しているため、キャスティングによってルア−１が障害物に衝突したときでも金属製フレ−ム２の変形およびこれに伴う合成樹脂製ボディ４の破損がない。
金属製フレ−ム２に囲まれた領域の中空部２ｈにも合成樹脂が充填されているため、ルア−１の外周だけでなく合成樹脂製ボディ４の強度が高くなる。
金属製フレ−ム２に重り３が止着されて合成樹脂製ボディ４に埋設されているため、重り３が確実に保持される。
【００１４】
ボディ４が透光性の合成樹脂材料で形成されていると、中空部２ｈに充填された合成樹脂材料を通して反対側の光が視認でき、生き物としてのリアル感が増し、釣果の向上が望める。
また、ルア−１の反対側が中空室を形成したルア−に比し明確に透かして見えるようになる。
【００１５】
前記のようにルア−が構成されていると、ルア−外周に沿った金属製フレ−ム２でルア−外周の強度が高くなると共に、この金属製フレ−ム２は合成樹脂製ボディ４に埋設しているため、キャスティングによってルア−１が障害物に衝突したときでも金属製フレ−ム２の変形およびこれに伴う合成樹脂製ボディ４の破損が防止できる。
金属製フレ−ム２に囲まれた領域の中空部２ｈにも合成樹脂が充填されているため、ルア−１の外周だけでなく合成樹脂製ボディ４の強度が高くなり破損が防止される。
金属製フレ−ム２に重り３が止着されて合成樹脂製ボディ４に埋設されているため、重り３が確実に保持される。
【００１６】
【発明の効果】
本発明は、以上説明したような形態で実施され、以下に記載されるような効果を奏する。
【００１７】
請求項１により、ルア−外周に沿った金属製フレ−ムでルア−外周の強度が高くなると共に、この金属製フレ−ムは合成樹脂製ボディに埋設しているため、キャスティングによってルア−が障害物に衝突したときでも金属製フレ−ムの変形およびこれに伴う合成樹脂製ボディの破損が防止できる。
請求項２により、金属製フレ−ムに囲まれた領域の中空部にも合成樹脂が充填されているため、ルア−の外周だけでなく合成樹脂製ボディの強度が高くなり破損が防止される。
請求項３により、金属製フレ−ムに重りが止着されて合成樹脂製ボディに埋設されているため、重りが確実に保持される。
【図面の簡単な説明】
【図１】ルア−の外観斜視図である。
【図２】ルア−の側面図である。
【図３】ルア−のフレ−ムを破線で示した側面図である。
【図４】フレ−ムの側面図である。
【図５】図３のＦ５−Ｆ５断面線の断面正面図である。
【図６】図３のＦ６−Ｆ６断面線の断面正面図である。
【図７】図３のＦ７−Ｆ７断面線の断面正面図である。
【符号の説明】
１  ルア−
２  金属製フレ−ム
２ｈ  フレ−ムに囲まれた領域（中空部）
３  重り
４  合成樹脂製ボディ
【図１】
0004588870.tif 000002
【図２】
0004588870.tif 000003
【図３】
0004588870.tif 000004
【図４】
0004588870.tif 000005
【図５】
0004588870.tif 000006
【図６】
0004588870.tif 000007
【図７】
0004588870.tif 000008